(57)【要約】【課題】施工性が良い建築構造体を提供する。【解決手段】本発明にかかる建築構造体１は、横材３ａと、柱５ａと、カバー材９と、スクリーン１１とを備え、横材３ａと柱５ａで門型を形成してあり、カバー材９は開口Ｋを下向きにした凹状で横材３ａに取付けてあり、スクリーン１１は、上取付材（上端）２３がカバー材９に上下方向の隙間Ｓをあけて呑み込ませており、下取付材（下端）２５が地面Ｇに固定してある。【選択図】図１
2019027084.tif 000002
【特許請求の範囲】
【請求項１】
横材と、柱と、カバー材と、スクリーンとを備え、横材と柱で門型を形成してあり、カバー材は開口を下向きにした凹状で横材に取付けてあり、スクリーンは、上端がカバー材に上下方向の隙間をあけて呑み込ませており、下端が地面に固定してあることを特徴とする建築構造体。
【発明の詳細な説明】
【技術分野】
【０００１】
本発明は、建築構造体に関する。
【背景技術】
【０００２】
非特許文献１には、柱と桁（横材）で門型を形成して、スクリーン材を一本ずつ連結金具でベース材と桁に固定することが開示されている。
【先行技術文献】
【非特許文献】
【０００３】
【非特許文献１】裏面の３デザイン格子の取り付け欄「三協アルミ  ガーデンスクリーン  Ｍ．グローリア  デザイン格子  施工要領書  ＨＺ１３９６Ｃ」第３版  三協立山株式会社  三協アルミ社  ２０１５年１０月修正（第１版  ２０１２年  ５月発行）
【発明の概要】
【発明が解決しようとする課題】
【０００４】
しかし、非特許文献１の技術では、スクリーン材を一本ずつ連結金具で、ベース材と桁に固定しているので手間がかかると共に桁への取付けは高所の作業になり、施工性が悪いという不都合があった。
【０００５】
そこで、本発明は、施工性が良い建築構造体の提供を目的とする。
【課題を解決するための手段】
【０００６】
請求項１に記載の発明は、横材と、柱と、カバー材と、スクリーンとを備え、横材と柱で門型を形成してあり、カバー材は開口を下向きにした凹状で横材に取付けてあり、スクリーンは、上端がカバー材に上下方向の隙間をあけて呑み込ませており、下端が地面に固定してあることを特徴とする建築構造体である。
【発明の効果】
【０００７】
請求項１に記載の発明によれば、スクリーンは上端をカバー材に呑込ませているので、スクリーン上端とカバー材との固定作業が不要であるから、施工性が良い。
【図面の簡単な説明】
【０００８】
【図１】本発明の実施の形態にかかるカーポート（建築構造体）であって、図７に示すファサード部を拡大して示す正面図である。
【図２】図１に示すＡ−Ａ断面図である。
【図３】図１に示すＢ−Ｂ断面図である。
【図４】図１に示すＣ−Ｃ断面図である。
【図５】図１に示すＥ−Ｅ断面図である。
【図６】図１に示すＦ−Ｆ断面図である。
【図７】本発明の実施の形態にかかるカーポートを道路側から見た正面図である。
【図８】本発明の実施の形態にかかるカーポートの側面図である。
【発明を実施するための形態】
【０００９】
以下に、図１〜図８を参照して本発明の実施の形態を説明する。尚、図１において、Ｅ部はカバー材の前側壁を一部破断して示し、Ｆ部は地面の埋め込み部分を一部破断して示している。また、図２において、Ｊ部は地面の埋め込み部分を一部破断して示している。
図７及び図８に示すように、本実施の形態にかかる建築構造体１は、カーポートであり、横材３ａ、３ｂと、柱５ａ、５ｂと、屋根７を備えている。この建築構造体１は、家の玄関の道路側に設けてある。  
各横材３ａ、３ｂは、梁であり、道路側の横材３ａと、家側の横材３ｂとである。また、各横材３ａ、３ｂは夫々、左右の柱５ａ、５ｂ間に架設されており、図７に示すように、左右の柱５ａ、５ｂと共に正面視（道路側から見た正面）が門型を形成している。尚、左右の柱５ａ、５ｂは、図７において左側が左柱５ａであり、右側が右柱５ｂである。
図２及び図１に示すように、横材３ａ、３ｂは、中空形材であり、柱５ａ、５ｂとの連結部には補強材１３が設けられている。左右の柱５ａ、５ｂのうち、左の柱５ａは家の玄関の正面側に位置している。  
横材３ａ、３ｂの上には屋根７が架設されている。  
図７に示すように、道路側の横材３ａには、左の柱５ａ側にカバー材９と、スクリーン１１とを備えたファサード部１２が形成されている。  
【００１０】
図２に示すように、カバー材９は開口Ｋを下向きにした凹状であり、前側（道路側）壁９ａと、後側（家側）壁９ｂと上壁９ｃとで縦断面が略コ字形状を成す溝１７を形成している。  
図１及び図２に示すように、カバー材９は上壁９ｃを横材３ａの下面にスペーサー１５を介して、ねじ１４で固定してある。図２に示すように、スペーサー１５は横材３ａの下面に形成されている溝１９内に収納されている。  
カバー材９には左右両端にそれぞれキャップ２０が取付けられている。  
【００１１】
次に、スクリーン１１について説明する。  
図１に示すように、スクリーン１１は、スクリーン材２１と、スクリーン材２１の上端を取付けた上取付材（スクリーンの上端）２３と、スクリーン材２１の下端を取付けた下取付材２５（スクリーンの下端）とを備えている。  
スクリーン材２１は、本実施の形態では、縦格子２７及びパネル体２９である。縦格子２７は四角筒形状のアルミ形材であり、パネル体２９は左右の縦枠にパネルを嵌め込んでパネル状にしたものであり、縦格子２７とパネル体２９はそれぞれ左右に間隔をあけて配置してある。  
図３〜図６に示すように、パネル体２９は、左右の縦枠３５、３５を備え、左右の縦枠３５、３５間には、上枠４１ａと、下枠４１ｂとがねじ止めしてある。上枠４１ａの上には上パネル３１が、下枠４１ｂの下には下パネル３３が左右の縦枠３５、３５間にねじ止めしてある。図３に示すように、上枠４１ａと下枠４１ｂとの間には主パネル３７が配置してあり、図４に示すように、主パネル３７は左右端部を左右の縦枠３５、３５に保持されており、主パネル３７の下端は下枠４１ｂに間隔をあけて設けた下ガラス敷板３６で受けている。  
図３及び図５に示すように、上枠４１ａ及び下枠４１ｂには、それぞれＬＥＤ（発光素子）３９が内蔵してあり、ＬＥＤは縦枠３５内に配線されたケーブル３２に接続されている。上枠４１ａの下面及び下枠４１ｂの上面には、それぞれＬＥＤ３９の光を主パネル３７に導く導光板４３が配置されている。  
図３に示すように、主パネル３７は、その上端と上枠４１ａとの間及び下端と下枠４１ｂにそれぞれ、隙間Ｔが形成されている。隙間Ｔは例えば、約３ｍｍである。尚、図４において、符号３８で示すのは縦ガラス敷板であり、上下方向に間隔をあけて配置されている。  
主パネル３７は、透明ガラスである。  
図２に示すように、上取付材２３は下側を開口した溝状であり、前溝壁２３ａと後溝壁２３ｂと溝底２３ｃとで縦断面が略コ字形状を成している。  
下取付材２５は上側を開口した溝状であり、前溝壁２５ａと後溝壁２５ｂと溝底２５ｃとで縦断面が略コ字形状を成している。  
上取付材２３には、縦格子２７の上端及びパネル体２９の左右の縦枠３５の上端が溝内に配置してあり、それぞれ前溝壁２３ａにねじ４４で固定されている。  
同様に、下取付材２５には、縦格子２７の下端及びパネル体２９の左右の縦枠３５の下端が溝内に配置してあり、それぞれ前溝壁２５ａにねじ４４で固定されている。  
【００１２】
上取付材２３の前溝壁２３ａの前面及び後溝壁２３ｂの後面には、それぞれ滑り材４５がねじ４２で取付けある。前溝壁２３ａの滑り材４５は前側が突出する上下方向の円弧形状を成し、後溝壁２３ｂの滑り材４５は後側が突出する上下方向の円弧形状を成している。前溝壁２３ａの滑り材４５は、カバー材９の前側壁９ａに対向し、後溝壁２３ｂの滑り材４５はカバー材の後側壁９ｂに対向している。  
図１及び図２に示すように、上取付材２３は、カバー材９の溝１７内に呑み込まれており且つカバー材９の上壁９ｃとの間に上下方向の隙間Ｓをあけて配置されている。  
また、上取付材２３の左右端には小口キャップ２６が取付けてある。小口キャップ２６には取付材２３と反対側に突設するゴム材製の突部４７が取付けられている。  
下取付材２５は、地面に埋め込まれていると共に取付金具４９を介して柱５ａの下端部に固定してある。取付金具４９は、正面視Ｌ字形状を成しており、Ｌ字の一側を下取付材２５に他側を柱５ａに、それぞれねじ４６で取付けてある。  
【００１３】
次に、建築構造体１の施工について説明する。尚、建築構造体１の施工位置では、地面Ｇを掘り下げておく。  
そして、一組の左柱５ａと右柱５ｂとを前後に立設し、道路側の左右の柱５ａ、５ｂ間に横材３ａを架設し、家側の左右の柱５ａ、５ｂ間に横材３ｂを架設する。  
次に、スクリーン１１を組立てる。  
図１及び図２に示すように、下取付材２５の溝内に各縦格子２７の下端部を嵌め入れて、下取付材２５の前溝壁２５ａにねじ４４で固定し、上取付材２３の溝内に各縦格子２７の上端部を嵌め入れて、上取付材２３の前溝壁２３ａにねじ４４で固定する。一方、パネル体２９も同様に、左右の縦枠３５の下端部及び下パネル３３を下取付材２５の溝内に嵌め入れて、左右の縦枠３５の上端部及び上パネル３１を上取付材２３の溝内に嵌め入れて、左右の縦枠３５、３５の上端及び下端をねじ４４で下取付材２５及び上取付材２３に固定する。そして、上取付材２３の左右端には、それぞれキャップ２６を取付ける。  
一方、上取付材２３の前溝壁２３ａの前面及び後溝壁２３ｂの後面に、それぞれ滑り材４５を所定間隔で配置してねじ４２で固定する。  
【００１４】
次に、スクリーン１１を取り付けるが、スクリーン１１の取り付けは以下の手順で行う。  
図１及び図２に示すように、道路側の横材３ａにおいて、家の玄関側の柱５ａ側には、カバー材９を取付ける。カバー材９は予め上壁９ｃの上面にスペーサー１５を所定間隔で貼り付けて置き、スペーサー１５を横材３ａの溝１９内に配置して、カバー材９の上壁９ｃの下方からねじ１４で止める。  
次に、スクリーン１１の上取付材２３をカバー材９の溝１７に下から呑み込ませ、スクリーン１１の下取付材２５を取付金具４９とねじ４６で柱５ａに固定する。この状態でカバー材９の溝１７内では、スクリーン１１の上取付材（上端）とカバー材９の上壁９ｃとの間に隙間Ｓを形成した状態とする。  
その後、下取付材２５及びスクリーン１１の下端部をモルタルで地面Ｇの位置まで埋める。  
そして、横材３ａ、３ｂの上に屋根７を施工する。  
【００１５】
本発明の実施の形態にかかる建築構造体１の作用効果について説明する。  
本実施の形態にかかる建築構造体１は、スクリーン１１は上取付材（上端）２３をカバー材９に呑込ませているので、スクリーン１１の上取付材（上端）２３とカバー材９との固定作業が不要であるから、施工性が良い。  
また、スクリーン１１はその上取付材（上端）２３をカバー材９に呑込ませており、カバー材９に固定する作業が不要であるから、高所での作業がないので、この点でも施工性が良い。  
スクリーン１１は、上取付材（上端）２３を、横材３に取付けたカバー材９に上下方向の間隔Ｓをあけて呑み込ませているので、隙間Ｓにより横材３の上下方向の撓みを吸収でき、横材３の撓みによるスクリーン１１の変形や破損を防止できる。  
【００１６】
スクリーン１１は、地上で、縦格子２７やパネル体２９から成るスクリーン材２１を上取付材２３と下取付材２５に取付けて一体にしているので、組立性が良い。  
また、従来は縦格子を一本ずつ、地下のベース材と高所の桁（横材）の２箇所でねじ止めする必要があったが、本実施の形態では地上で組み立てたスクリーン１１の下取付材２５を柱５ａの地下に固定するだけであるから、この点についても施工性が良い。  
カバー材９とスクリーン１１の上取付材２３との間には滑り材４５を設けているので、カバー材９に対するスクリーン１１のがたつきを防止できる。  
下取付材２５は、柱５ａに取付金具４９で取付けてあるから、下取付材２５の位置決めが容易にでき、施工性が良い。  
上取付材２３には、その左右端に突部４７を設けて、突部４７をカバー材９のキャップ２０に対向させているので、左右方向におけるがたつきも防止できる。  
図３に示すように、主パネル３７は、その上端と上枠４１ａとの間及び下端と下枠４１ｂにそれぞれ、隙間Ｔが形成されているので、主パネル３７と上枠４１ａ及び下枠４１ｂとの間に、水が溜り難く、水溜りによるカビの発生を防止できる。  
図３に示すように、
【００１７】
本発明は、上述した実施の形態に限らず、本発明の要旨を逸脱しない範囲で種々変形可能である。  
例えば、横材３ａは、梁に限らず、桁や笠木等であっても良い。更に、建築構造体１は、テラス、手摺、フェンスやアーチ型の門等であっても良く、建築構造体の機能や目的は限定されない。  
カバー材９は、横材３ａの下面に取付けることに限らず、横材３ａの側面に取付けても良い。  
スクリーン１１のスクリーン材２１は、縦格子２７のみであっても良いし、パネル体２９のみとしても良い。更に、スクリーン材２１は横格子２７であっても良い。また、スクリーン１１には、郵便受けやインターホン等を設けても良い。更に、パネル体２９は、ＬＥＤ３９及び透明の主パネル３７を用いることに限らず、ＬＥＤ３９を用いないでアルミ材や樹脂製のパネルとしても良く、パネル体２９の種類や構成は限定されない。  
カバー材９及びスクリーン１１の取付けは、建築構造体１の柱５ａ、５ｂや横材３ａ、３ｂの施工時に同時に行うことに限らず、既設の柱５ａ、５ｂ及び横材３ａ、３ｂに後付けしても良い。  
【符号の説明】
【００１８】
１    建築構造体
３ａ  横材
５ａ、５ｂ  柱
９    カバー材
１１  スクリーン
２３  上取付材（スクリーンの上端）
２５  下取付材（スクリーンの下端）
Ｋ    カバー材の開口
Ｇ    地面
【図１】
2019027084.tif 000003
【図２】
2019027084.tif 000004
【図３】
2019027084.tif 000005
【図４】
2019027084.tif 000006
【図５】
2019027084.tif 000007
【図６】
2019027084.tif 000008
【図７】
2019027084.tif 000009
【図８】
2019027084.tif 000010